【手続補正書】
【提出日】平成18年11月17日(2006.11.17)
【手続補正１】
【補正対象書類名】特許請求の範囲
【補正対象項目名】全文
【補正方法】変更
【補正の内容】
【特許請求の範囲】
【請求項１】
手で支持される衝撃付与機械用の工具ホルダであって、前記工具ホルダは、工具が前記工具ホルダ内にそれを介して保持される保持襟部（２４、１２４、２２４）がその上に形成されるシャンク部を有する工具（６、１０６、２０６）を受容するのに適しており、前記工具ホルダは、
前記工具を受容するための管状の主本体（２、１０２、２０２）と、
前記主本体に関して移動可能に取り付けられた少なくとも一つの固定要素（１６、１１６、２１６）であって、前記又は各固定要素は、係合部（２２、１２２、２２２）を有し、前記主本体内で前記工具を保持するように前記係合部が前記工具の前記保持襟部と係合可能である半径方向内側の固定位置と、前記工具を前記主本体に挿入する又は前記主本体から取り外すことができる半径方向外側非固定位置の間で前記係合部が移動可能である、少なくとも一つの固定要素（１６、１１６、２１６）と、
前記固定要素の前記係合部が固定位置に保持されている固定位置と、前記固定要素の前記係合部が非固定位置に移動することができる非固定位置との間で移動することができるように、前記主本体周りで取り付けられている手で作動できるスリーブ（３４、１３４、２３４）とを備え、前記固定要素の前記係合部が、前記主本体内に挿入される前記工具（６、１０６、２０６）の前記保持襟部（２４、１２４、２２４）との係合によって非固定位置に移動することができ、前記工具ホルダは、前記主本体（２、１０２、２０２）に関して軸線方向に摺動可能に取り付けられており、かつ前記又は各固定要素（１６、１１６、２１６）を固定位置へ付勢するように、ばね部材（３２、１３２、２３２）によって軸線方向に付勢されて前記又は各固定要素と係合させられる、保持リング（３０、１３０、２３０）をさらに備えた、工具ホルダにおいて、
前記保持リング（３０、１３０、２３０）の軸線方向移動は、前記手で作動可能なスリーブ（３４、１３４、２３４）の移動と独立していることを特徴とする工具ホルダ。
【請求項２】
前記手で作動できるスリーブ（３４、１３４、２３４）は、軸線方向に摺動可能に前記主本体（２、１０２、２０２）周りで取り付けられている請求項１に記載の工具ホルダ。
【請求項３】
ばね部材（３８、１３８、２３８）が前記手で作動できるスリーブを前記固定位置に付勢する請求項１又は２に記載の工具ホルダ。
【請求項４】
二つの固定要素（１６、１１６、２１６）がある請求項１〜３のいずれか１項に記載の工具ホルダ。
【請求項５】
前記保持リング（３０、１３０、２３０）は、ばね部材（３２、１３２、２３２）によって軸線方向に付勢される請求項１〜４のいずれか１項に記載の工具ホルダ。
【請求項６】
前記保持リング（３０、１３０、２３０）は、前記固定要素（１６、１１６、２１６）の後方に位置決めされており、前記ばね部材（３２、１３２、２３２）は、前記保持リングを軸線方向に前方に付勢する請求項１〜５のいずれか１項に記載の工具ホルダ。
【請求項７】
前記又は各固定要素（１６、１１６）は、軸線方向に延長しており、かつ前記係合部（２２、１２２）が前記主本体に関して固定位置と非固定位置の間で半径方向に移動できるように前記主本体（２、１０２）上で回動可能に取り付けられている請求項１〜６のいずれか１項に記載の工具ホルダ。
【請求項８】
前記又は各固定要素（１６、１１６）は、前記又は各固定要素の回動を容易にするように前記主本体の対応の凹所（８）と係合可能な半径方向内側に突出している部分（１８、１１８）を有している請求項７に記載の工具ホルダ。
【請求項９】
前記又は各固定要素（１６、１１６）は、前記突出部（１８、１１８）に隣接した半径方向内側に面している凹所（２０、１２０）を有し、前記凹所は、前記又は各固定要素の回動を容易にするように、前記主本体の対応の突出部（９、１０９）と係合可能である請求項８に記載の工具ホルダ。
【請求項１０】
前記又は各固定要素の後方部分（１８、１１８）は、前記主本体（２、１０２）上に回動可能に取り付けられており、前記係合部（２２、１２２）は、前記又は各固定要素の前方部分上に位置決めされている請求項７〜９のいずれか１項に記載の工具ホルダ。
【請求項１１】
固定部材（４０、１４０）が前記手で作動できるスリーブ（３４、１３４）内に取り付けられ又は形成されており、前記スリーブの固定位置において、前記固定部材は、前記又は各固定要素の前記係合部（２２、１２２）を固定位置に保持するように、前記又は各固定要素（１６、１１６）の半径方向外側部分と係合する請求項７〜１０のいずれか１項に記載の工具ホルダ。
【請求項１２】
前記手で作動できるスリーブ（３４、１３４）の非固定位置において、前記固定部材（４０、１４０）は、前記又は各固定要素（１６、１１６）の縮径した外側部分（２６ａ、１２８）の半径方向外側に位置決めされている請求項１１に記載の工具ホルダ。
【請求項１３】
前記手で作動できるスリーブ（３４、１３４）の非固定位置において、前記固定部材（４０、１４０）は、前記又は各固定要素（１６）の軸線方向前方又は後方に位置決めされている請求項１１に記載の工具ホルダ。
【請求項１４】
前記又は各固定要素（１６、１１６）は、第一端部（１８、１１８）回りで回動可能に前記主本体（２、１０２）上に取り付けられており、前記保持リング（３０、１３０）には、凹所が形成されており、前記凹所内において、前記又は各固定要素（１６、１１６）の第一端部は、前記又は各固定要素の回動を案内するように受容されている請求項７〜１３のいずれか１項に記載の工具ホルダ。
【請求項１５】
少なくとも二つの固定要素（１１６）があり、これらの前記固定要素（１１６）は、前記固定位置において、前記主本体（１０２）内に挿入されている工具（１０６）を包囲するスリーブを共に形成している請求項７〜１４のいずれか１項に記載の工具ホルダ。
【請求項１６】
前記又は各固定要素（１１６）は、前記主本体（１０２）の前方端部の前方に延びている請求項７〜１５のいずれか１項に記載の工具ホルダ。
【請求項１７】
前記又は各固定要素（１１６）は、その後方部分において回動可能に前記主本体に取り付けられており、前記又は各固定要素は、その前方部分上において係合部（１２２）を有する請求項１６に記載の工具ホルダ。
【請求項１８】
前記固定要素の前記係合面（１２２）の固定位置において、複数の弾性リング部（１３６）が共に弾性ノーズリングを形成するように、前記弾性リング部（１３６）が各固定要素（１１６）の前方部分において取り付けられている請求項１５に記載の工具ホルダ。
【請求項１９】
前記又は各固定要素（１１６）は、前記主本体（１０２）の前方端部の前方に延びており、前記固定要素の前記係合面（１２２）の固定位置において、複数の弾性リング部（１３６）が共に弾性ノーズリングを形成するように、前記弾性リング部（１３６）が各固定要素（１１６）の前方部分において取り付けられている請求項１５に記載の工具ホルダ。
【請求項２０】
前記又は各固定要素（１１６）は、その後方部分において回動可能に前記主本体に取り付けられており、前記又は各固定要素は、その前方部分上において係合部（１２２）を有し、前記固定要素の前記係合面（１２２）の固定位置において、複数の弾性リング部（１３６）が共に弾性ノーズリングを形成するように、前記弾性リング部（１３６）が各固定要素（１１６）の前方部分において取り付けられている請求項１５に記載の工具ホルダ。
【請求項２１】
前記又は各固定要素（１６）が、前記主本体（２）の壁に形成されている付随の穴（１２）を貫通して半径方向内側に延びている係合部（２２）を有する請求項７〜１５のいずれか１項に記載の工具ホルダ。
【請求項２２】
前記貫通穴（１２）は、前記係合部（２２）よりも軸線方向に長い請求項２１に記載の工具ホルダ。
【請求項２３】
保持リング（３０）は、前記又は各固定要素（１６）の後方において、前記主本体（２）周りで軸線方向に摺動可能に取り付けられており、前記又は各固定要素を前記固定位置へ付勢するように、前記保持リング（３０）は、ばね部材（３２）によって、軸線方向に前方に付勢されて前記又は各固定要素と係合させられ、前記又は各固定要素（１６）は、前記保持リング（３０）からの前記付勢力に抗して軸線方向に摺動可能に前記主本体（２）上に取り付けられている請求項２１又は２２に記載の工具ホルダ。
【請求項２４】
固定部材（４０）が前記手で作動できるスリーブ（３４）内に取り付けられ又は形成されており、前記スリーブの固定位置において、前記固定部材は、前記又は各固定要素の前記係合面（２２）を前記固定位置に保持するように、前記又は各固定要素（１６）の半径方向外側部分と係合し、前記固定要素を前記保持リング（３０）に抗して前記固定部材（４０）に関して後方へ、前記又は各固定要素の前記係合部が非固定位置へ移動することができる位置へ摺動するように、前記主本体（２）に挿入された工具の襟部（２４）は前記又は各固定要素（１６）と係合することができる請求項２３に記載の工具ホルダ。
【請求項２５】
前記固定要素（１６）は、前記又は各固定要素の前記係合部が非固定位置へ移動できる、前記固定部材（４０、１４０）の後方の位置へ後方に摺動する請求項２４に記載の工具ホルダ。
【請求項２６】
前記又は各固定要素（１６）は、前記主本体（２）上に形成されている環状凹所（８）内にその後方端部（１８）において回動可能に取り付けられており、一つ以上のスロット（１０）が前記主本体（２）上に形成されており、前記又は各スロット（１０）は、対応の固定要素と周方向に整列されており、前記スロットは前記環状凹所（８）の後方への延長部であり、前記対応の固定要素は前記スロットに沿って摺動可能に案内される請求項２１〜２５のいずれか１項に記載の工具ホルダ。
【請求項２７】
保持リング（２３０）が、前記主本体（２０２）に関して前記又は各固定要素（２１６）の前方又は後方の第一の側に軸線方向に摺動可能に取り付けられており、作動リング（２４０）は、前記主本体（２０２）に関して前記又は各固定要素の反対の第二の側に軸線方向に摺動可能に取り付けられており、前記又は各固定要素は、その前記係合部（２２２）を前記固定位置と前記非固定位置の間で移動することができるように、前記保持リング（２３０）と前記作動リング（２４０）の間で半径方向に移動可能に取り付けられている請求項１〜６のいずれか１項に記載の工具ホルダ。
【請求項２８】
前記保持リング（２３０）は、前記又は各固定要素を固定位置に付勢するように、ばね部材（２３２）によって軸線方向に付勢されて前記又は各固定要素と係合させられる請求項２７に記載の工具ホルダ。
【請求項２９】
前記手で作動できるスリーブ（２３４）上に取り付けられる又は形成される作動本体（２３５）は、前記作動リング（２４０）と係合することができ、前記又は各固定要素の前記係合部（２２２）が固定位置に保持されている第一軸線方向位置と、前記又は各固定要素の前記係合部が非固定位置へ移動自由である第二軸線方向位置との間で、前記作動リングと前記保持スリーブ（２３０）と前記又は各固定要素（２１６）とを備えたサブ組立体を移動させるように、前記手で作動できるスリーブが前記固定位置から前記非固定位置へ移動することができる請求項２７又は２８に記載の工具ホルダ。
【請求項３０】
前記保持リング（２３０）と前記又は各固定要素（２１６）と前記作動リング（２４０）は、前記主本体（２０２）内で軸線方向に摺動可能に取り付けられているサブ組立体を形成している請求項２７〜２９のいずれか１項に記載の工具ホルダ。
【請求項３１】
前記第一軸線方向位置において、前記主本体（２０２）の縮径した内側部分（２５４）は、前記又は各固定要素（２１６）の半径方向外側に位置決めされかつ前記又は各固定要素の前記係合部を固定位置に保持するように前記又は各固定要素（２１６）と係合し、前記第二軸線方向位置において、前記主本体（２０２）の拡径した内側部分（２５２）は、前記又は各固定要素の前記係合部を半径方向外側へ非固定位置へ移動させるように、前記又は各固定要素の半径方向外側に位置決めされている請求項２９に記載の工具ホルダ。
【請求項３２】
前記保持リング（２３０）と前記又は各固定要素（２１６）と前記作動リング（２４０）は、前記主本体（２０２）内で軸線方向に摺動可能に取り付けられているサブ組立体を形成しており、前記第一軸線方向位置において、前記主本体（２０２）の縮径した内側部分（２５４）は、前記又は各固定要素（２１６）の半径方向外側に位置決めされかつ前記又は各固定要素の前記係合部を固定位置に保持するように前記又は各固定要素（２１６）と係合し、前記第二軸線方向位置において、前記主本体（２０２）の拡径した内側部分（２５２）は、前記又は各固定要素の前記係合部を半径方向外側へ非固定位置へ移動させるように、前記又は各固定要素の半径方向外側に位置決めされている請求項２９に記載の工具ホルダ。
【請求項３３】
前記主本体（２０２）には、その壁において少なくとも一つの穴（２１２）が形成されており、前記手で作動できるスリーブ（２３４）上で取り付けられた付随の作動本体（２３５）は、前記穴（２１２）を通して、前記作動リング（２４０）と係合するように延びている請求項３０〜３２のいずれか１項に記載の工具ホルダ。
【請求項３４】
工具（２０６）を前記主本体（２０２）内に挿入する時、工具の保持襟部（２２４）は、前記工具が前記工具ホルダ内に嵌まりうるように、前記保持スリーブ（２３０）の付勢力に抗して、前記又は各固定要素（２１６）を前記第一軸線方向位置から第二軸線方向位置へ移動させるように、前記又は各固定要素と係合する請求項２９に記載の工具ホルダ。
【請求項３５】
前記手で作動できるスリーブ（２３４）上に取り付けられる又は形成される作動本体（２３５）は、前記作動リング（２４０）と係合することができ、前記又は各固定要素の前記係合部（２２２）が固定位置に保持されている第一軸線方向位置と、前記又は各固定要素の前記係合部が非固定位置へ移動自由である第二軸線方向位置との間で、前記作動リングと前記保持スリーブ（２３０）と前記又は各固定要素（２１６）とを備えたサブ組立体を移動させるように、前記手で作動できるスリーブが前記固定位置から前記非固定位置へ移動することができ、工具（２０６）を前記主本体（２０２）内に挿入する時、工具の保持襟部（２２４）は、前記工具が前記工具ホルダ内に嵌まりうるように、前記保持スリーブ（２３０）の付勢力に抗して、前記又は各固定要素（２１６）を前記第一軸線方向位置から第二軸線方向位置へ移動させるように、前記又は各固定要素と係合する請求項３０〜３３のいずれか１項に記載の工具ホルダ。
【請求項３６】
ハンマー機構（２０３）を備え、かつ請求項１〜３５のいずか１項に記載の工具ホルダを有する、手で支持される衝撃付与機械において、
前記工具ホルダ内に取り付けられている工具（６、１０６、２０６）は、前記衝撃付与機械が操作される時、前記ハンマー機構からの繰り返した衝撃を受けるように、前記工具ホルダが前記衝撃付与機械に取り付けられている、手で支持される衝撃付与機械。